(57)【要約】【課題】より携行性がよく、小型で扱いやすい携帯型の粘着式クリーナーを提供する。【解決手段】清掃具本体２に保護ケース３を取り付ける際に、支持軸２１の先端に粘着テープロールＲの最大外径よりも大径な円盤状のストッパー４を設け、ストッパー４と保護ケース３の底蓋３６との間に位置決め手段を設けて、粘着テープロールＲの保護ケース３内でのがたつきを防ぐ。【選択図】  図１
2014076149.tif 000002
【特許請求の範囲】
【請求項１】
基材の一方の面にゴミ捕捉用の粘着面が形成された粘着テープを、その粘着面が外側を向くように円筒状に巻回してなる粘着テープロールと、上記粘着テープロールを回転可能に支持する清掃具本体と、上記粘着テープロールの上記粘着面を覆い隠すように上記清掃具本体に着脱自在に取り付けられる保護ケースとを備える粘着式クリーナーにおいて、
上記清掃具本体は、上記粘着テープロールを回転可能に支持する支持軸と、上記支持軸の一端に設けられたグリップ部とを有し、上記支持軸の他端には、上記粘着テープロールの抜け止め用のストッパーが着脱自在に取り付けられており、上記保護ケースは、一端側に上記支持軸に支持された上記粘着テープロールが差し込まれる開口部を有し、他端の底部側に底蓋を備え、上記開口部から底部に向かって内径が漸次大きくなる錐筒状であり、上記ストッパーと上記底蓋との間には、上記支持軸を上記保護ケースに対して同軸的に位置決めする位置決め手段が設けられていることを特徴とする粘着式クリーナー。
【請求項２】
上記ストッパーは、少なくとも上記粘着テープロールの最大外径よりも大径となるように形成されていることを特徴とする請求項１に記載の粘着式クリーナー。
【請求項３】
上記ストッパーは、円盤状または多角形状であることを特徴とする請求項１または２に記載の粘着式クリーナー。
【請求項４】
上記位置決め手段は、上記ストッパーまたは上記底蓋のいずれか一方に形成された半球状の凸部と、いずれか他方に形成された半球状の凹部とからなり、上記凸部と上記凹部とが互いに合致することにより上記支持軸の軸線と上記保護ケースの軸線とが同軸的になるように芯出しされることを特徴とする請求項１，２または３に記載の粘着式クリーナー。
【請求項５】
上記保護ケースの内周面には、複数のリブが上記粘着テープロールの軸線方向に沿って設けられていることを特徴とする請求項１ないし４のいずれか１項に記載の粘着式クリーナー。
【発明の詳細な説明】
【技術分野】
【０００１】
本発明は、粘着面が表側を向くように巻回された粘着テープロールを被清掃面上で転がすことにより、被清掃面に付着したゴミを粘着面で捕捉する粘着式クリーナーに関し、さらに詳しく言えば、小型で携帯式の粘着式クリーナに関する。
【背景技術】
【０００２】
衣服に付着した埃などを除去するクリーナーの１つに粘着テープを用いた携帯式の粘着式クリーナーがある。例えば特許文献１には、粘着テープの粘着面が表側を向くように巻回された粘着テープロールを回転可能に保持する支持軸を有する清掃具本体と、同清掃具本体に対して粘着テープロールの外周面を覆うように取り付けられる保護ケースとを有する携帯式の粘着式清掃具が記載されている。
【０００３】
この粘着式清掃具において、支持軸の一端側には、使用時に手によって把持されるグリップ部が折り畳み可能に連結されている。グリップ部は、折り畳み時に保護ケースのロックも兼ねている。これによれば、折り畳まれた状態のグリップを支持軸と同軸となるように展開したのち、保護ケースを取り外すことで使用可能となる。使用者はグリップを手で把持して、粘着テープロールの表面を衣服の上で転がすことによって、粘着面でゴミを捕捉できるようになっている。
【０００４】
しかしながら、特許文献１に記載された粘着式クリーナーには、次のような課題が残されている。すなわち、支持軸に対してグリップが折り畳み式であるため、折り畳み状態のときの外径が大きい。したがって、全体に大きくなり嵩張るため、小さいバックなどに入れて持ち運ぶには不便であった。
【０００５】
また、グリップ部が折り畳み式で、さらにロック手段も兼ねているため、使用するにあたっては、まず最初にグリップを展開しなくてはならず、ワンタッチで使用することができなかった。
【先行技術文献】
【特許文献】
【０００６】
【特許文献１】特開２００９−２１９５７５号公報
【発明の概要】
【発明が解決しようとする課題】
【０００７】
そこで、本発明の課題は、より携行性がよく、小型で扱いやすい携帯型の粘着式クリーナーを提供することにある。
【課題を解決するための手段】
【０００８】
上述した課題を解決するため、本発明は以下に示すいくつかの特徴を備えている。すなわち、基材の一方の面にゴミ捕捉用の粘着面が形成された粘着テープを、その粘着面が外側を向くように円筒状に巻回してなる粘着テープロールと、上記粘着テープロールを回転可能に支持する清掃具本体と、上記粘着テープロールの上記粘着面を覆い隠すように上記清掃具本体に着脱自在に取り付けられる保護ケースとを備える粘着式クリーナーにおいて、上記清掃具本体は、上記粘着テープロールを回転可能に支持する支持軸と、上記支持軸の一端に設けられたグリップ部とを有し、上記支持軸の他端には、上記粘着テープロールの抜け止め用のストッパーが着脱自在に取り付けられており、上記保護ケースは、一端側に上記支持軸に支持された上記粘着テープロールが差し込まれる開口部を有し、他端の底部側に底蓋を備え、上記開口部から底部に向かって内径が漸次大きくなる錐筒状であり、上記ストッパーと上記底蓋との間には、上記支持軸を上記保護ケースに対して同軸的に位置決めする位置決め手段が設けられていることを特徴としている。
【０００９】
より好ましい態様として、上記ストッパーは、少なくとも上記粘着テープロールの最大外径よりも大径となるように形成されていることを特徴としている。
【００１０】
より好ましい態様として、上記ストッパーは、円盤状または多角形状であることを特徴としている。
【００１１】
より好ましい態様として、上記位置決め手段は、上記ストッパーまたは上記底蓋のいずれか一方に形成された半球状の凸部と、いずれか他方に形成された半球状の凹部とからなり、上記凸部と上記凹部とが互いに合致することにより上記支持軸の軸線と上記保護ケースの軸線とが同軸的になるように芯出しされることを特徴としている。
【００１２】
また、上記保護ケースの内周面には、複数のリブが上記粘着テープロールの軸線方向に沿って設けられていることを特徴としている。
【発明の効果】
【００１３】
これによれば、清掃具本体の支持軸とグリップとが同軸的に配置されたスティック状に形成されており、支持軸の先端から保護ケースを差し込むことで、リップスティックのような小型で携行性のよい粘着式クリーナーを提供できる。
【００１４】
さらには、ストッパーと底蓋との間に位置決め手段としての凹凸を設けたことにより、凹凸を互いに付き合わせるだけで、保護ケースと支持軸とを簡単に芯出しすることができ、持ち運び時において粘着テープロールが保護ケース内でがたつくことを防止できる。
【図面の簡単な説明】
【００１５】
【図１】本発明の粘着式クリーナーの（ａ）正面図、（ｂ）平面図、（ｃ）底面図および（ｄ）Ａ−Ａ線断面図。
【図２】上記粘着式クリーナーの清掃具本体の（ａ）正面図，（ｂ）中央縦断面図および（ｃ）部分拡大断面図。
【図３】上記清掃具本体のストッパーの（ａ）正面図および（ｂ）中央縦断面図。
【図４】上記粘着式クリーナーの保護ケースの（ａ）中央縦断面図および（ｂ）底面図。
【図５】上記保護ケースの底蓋の（ａ）正面図、（ｂ）中央縦断面図および（ｃ）平面図。
【図６】上記清掃具本体に粘着テープロールを取り付ける方法を説明する説明図。
【図７】清掃具本体に保護ケースを取り付ける方法を説明する説明図。
【図８】保護ケースの底蓋と、清掃具本体のストッパーの位置合わせ機構を説明する説明図。
【発明を実施するための形態】
【００１６】
次に、本発明の実施形態について図面を参照しながら説明するが、本発明はこれに限定されるものではない。図１に示すように、この粘着式クリーナー１は、粘着テープロールＲを回転可能に支持する清掃具本体２と、清掃具本体２に対して着脱自在に取り付けられる保護ケース３とを備えている。
【００１７】
粘着テープロールＲは、帯状の基材の一方の面に粘着剤層を塗布した粘着面を有する粘着テープを、その粘着面が表側を向くように円筒状に多重巻回したものからなる。この例において、粘着テープロールＲは、幅７５ｍｍ×長さ１．５ｍのシートを内径φ１０ｍｍの円筒体となるように巻いたもので、この例では２５周分（最大外径１７ｍｍ）である。
【００１８】
なお、本発明において粘着テープロールＲは、基本的に粘着面が表側を向くように巻かれた清掃用の粘着テープロールであればよく、その具体的な形状や仕様等については、任意に選択されてよい。
【００１９】
図２を併せて参照して、清掃具本体２は、合成樹脂の成形品からなり、一端側（図２（ａ）では下端側）には粘着テープロールＲを支持する支持軸２１が設けられている。支持軸２１の他端（図２（ａ）では上端）には、清掃具本体２を手で把持するためのグリップ部２２が設けられている。
【００２０】
支持軸２１は、粘着テープロールＲの内周面に沿って挿通可能な円筒状を呈し、その先端には、粘着テープロールＲの抜け止めとしてのストッパー４が取り付けられる。支持軸２１の先端には、ストッパー４を取り付ける際の差し込み方向を案内する位置合わせ部２１１が設けられている。
【００２１】
支持軸２１の内周面の先端には、ストッパー４を取り付ける際に、ストッパー４側に設けられた係止溝に係合されるフック爪２１２が設けられている。図２（ｃ）に示すように、フック爪２１２は、支持軸２１の内周面から中心に向かって突設するように設けられており、これに対して位置合わせ部２１１が半径方向に対向するように配置されている。
【００２２】
図３（ａ），（ｂ）を参照して、ストッパー４は、粘着テープロールＲの一端側を支持する端板４１と、端板４１の中央から突設される係止軸４２とを備えている。端板４１は、粘着テープロールＲの最大外径よりも大径な円盤状であり、その底部（図３（ａ）では底面）には、保護ケース３の底部に設けられた位置合わせ用の凸部３６１に係合する凹部４３が設けられている。
【００２３】
係止軸４２は、端板４１の上面（図３（ａ）では上面）中央から垂直に立設された円筒軸であって、支持軸２１の内周面に沿って挿通可能な外径を有している。係止軸４２の外周面には、フック爪２１２が案内される係止溝４４が設けられている。
【００２４】
係止溝４４は、係止軸４２の上端から軸線方向に沿って鉛直に延びる導入部４４ａと、導入部４４ａの一端から係止軸４２の円周方向に沿ってほぼ水平に形成される係止部４４ｂとを有するＬ字状に形成されている。係止部４４ｂは、その開口幅（軸線方向の長さ）が入口側が小さく、奥に向かうにつれて大きくなるように形成されている。
【００２５】
これによれば、ストッパー４の係止軸４２を支持軸２１の内径に差し込む際、フック爪２１２を係止溝４４の導入部４４ａに入り込むようにして差し込み、さらにこの例では時計回りに約９０°回転させたのちに、ストッパー４２を軸線方向に若干引っ張り出すことによって、フック爪２１２が係止部４４ｂに入って係止され、ストッパー４が支持軸２１の先端に取り付けられる。
【００２６】
この実施形態において、ストッパー４は、粘着テープロールＲの最大外径よりも大径な円盤状に形成されているが、粘着テープロールＲの抜け止めとして機能するためには、少なくとも粘着テープロールＲの内周面の内径よりも大径であればよい。また、その形状は、円盤状に限られず、四角形や六角形などの多角形状であってもよい。
【００２７】
さらには、ストッパー４は、いわゆる爪形状であってもよく、ストッパー４の底部に位置合わせ用の凹部４３が形成されていればよい。また、凹部４３は、孔であってもよい。
【００２８】
再び図２を参照して、グリップ部２２は、支持軸２１の上端に一体形成されており、手によって把持しやすく、かつ、保護ケース３とのデザイン性を考慮して、上端から下端にかけて外径が緩やかに小さくなる円筒状に形成されている。グリップ部２２の上端には、蓋板２２１が嵌め込まれているが、蓋板２２１は一体式であってもよい。
【００２９】
グリップ部２２の下端（図２では下端）側は、清掃具本体２を保護ケース３に差し込んだ際に、清掃具本体２と保護ケース３とを係止するための係止面２３が設けられている。係止面２３は、グリップ部２２の外径に対して一段小さくなるように形成されている。
【００３０】
係止面２３も上端側（グリップ部２２との連結側）から下端側（支持軸２１との連結側）に向かうにつれて外径が緩やかに小さくなるように形成されており、上端側の外径が保護ケース３の開口径よりも若干小さく形成されている。
【００３１】
係止面２３の外周面には、保護ケース３側に設けられた凹溝３５内に入り込む係止凸部２３１が設けられている。この例において、係止凸部２３１は、係止面の外周面から外側に向かって突設された凸リブからなり、この例では１２０°間隔で３カ所設けられている。
【００３２】
係止凸部２３１の数や形状は仕様に応じて任意に変更されてよい。また、係止凸部２３１に変えて環状リブを設けてもよく、凹溝３５に入り込んで係合する形状であればよい。
【００３３】
次に、図４を参照して、保護ケース３は、上部に開口部３１を有する中空な円筒状を呈し、外径が上端（図４（ａ）では上端）から下端（図４（ａ）では下端）にかけて、徐々に大きくなる錐筒状に形成されている。
【００３４】
保護ケース３の内周面３２は、その内径が、外径と同じく上端から下端にかけて緩やかに大きくなるように形成されている。この例において、保護ケース３の開口部３１から所定長さ分は、上述した係止面２３を受ける挿入面３４が形成されている。
【００３５】
挿入面３４は、係止面２３の軸方向長さとほぼ同じ軸方向長さを有し、内径も係止面２３の外径とほぼ同じである。挿入面３４には、上述した係止凸部２３１が係止される凹溝３５が設けられている。この例において、凹溝３５は、挿入面３４の内径に沿って一段凹まされた環状溝からなる。なお、凹溝３５の位置や形状は、仕様に応じて任意に選択されてよい。
【００３６】
内周面３２には、粘着テープロールＲが軸線に対して斜めになった状態で挿入された際に、その粘着面が内周面３２に張り付かないようにするためのリブ３３が設けられている。
【００３７】
リブ３３は、保護ケース３の内周面の挿入面３４の下端から底部にかけて軸線方向に沿って形成されており、この例では所定間隔をもって放射状に１２カ所設けられている。リブ３３の形状や数などについては、任意である。
【００３８】
図５を併せて参照して、保護ケース３の底部には底蓋３６が取り付けられる。底蓋３６は、保護ケース３の底部開口に沿って嵌合可能な蓋体からなり、保護ケース３の内周面３２に沿って差し込まれるようになっている。底蓋３６の形状や取付態様などについては任意であってよい。
【００３９】
底蓋３６の上面（図５（ｂ）では上面）には、清掃具本体２のストッパー４の底部に設けられた凹部４３を受ける凸部３６１が設けられている。この例において、凸部３６１は、半円状に形成された２枚の凸リブを十字状に配置したものからなり、この凸部３６１が凹部４３内に入り込むことにより、支持軸２１と保護ケース３の中心軸線が一致するようになっている。
【００４０】
次に、図６〜図８を併せて参照して、この粘着式クリーナー１の使用手順の一例について説明する。まず、清掃具本体２に粘着テープロールＲを取り付けるに当たっては、清掃具本体２の支持軸２１の先端を粘着テープロールＲの内径に沿って突き当たるまで差し込む。
【００４１】
次に、ストッパー４を支持軸２１の先端に取り付ける。これにより、粘着テープロールＲが支持軸２１に回転可能に保持される。清掃具本体２を使用するに当たっては、粘着テープロールＲの外周に設けられた保護シールを剥がしたのち、表面に露出した粘着面（ともに図示しない）を衣服などの上で転がすことによって、衣類に付着したゴミを粘着面で捕捉することができる。
【００４２】
使用後は、図７に示すように、支持軸２１の先端（ストッパー４側）から保護ケース３の開口部３１に差し込むが、本発明はストッパー４の外径が粘着テープロールＲの最大外径よりも大径であることによって、清掃具本体２が傾いた状態で開口部３１に差し込んでも、開口部３１の周縁に粘着面が付着する前にストッパー４が開口部３１の周縁に当接することで、粘着テープロールＲが開口部３１に触れることを防止することができる。
【００４３】
さらには、奥まで差し込んでいく際に清掃具本体２が傾いても、ストッパー４の外周にリブ３３が触れることで、粘着面が開口部３１の周縁に触れて汚れたり、粘着面が剥がれたりすることを防止することができる。
【００４４】
さらに、清掃具本体２を保護ケース３の底まで押し込むと、ストッパー４の凹部４３が保護ケース３の底蓋３６に設けられた凸部３６１に案内されるとともに、清掃具本体２の挿入面２３と保護ケース３の係止面３４とが互いに係合される。
【００４５】
これによれば、支持軸２１が先端側（ストッパー４側）と基端側（グリップ部２２側）とが２点で支持されることにより、粘着テープロールＲが保護ケース３の中心軸に沿って同軸的に保持されるため、粘着面が保護ケース３の内周面に張り付くことを確実に防止できる。特に、携帯時に持ち運んでいる際に粘着テープロールＲが保護ケース３の中でがたついたりすることを防止できる。
【００４６】
この例において、保護ケース３は、据え置きしたときに安定するように外形も内径に合わせて円錐状に形成されているが、保護ケース３は、内周面および外周面が単なる円筒状であってもよいし、少なくとも内周面が粘着テープロールＲを収納可能であればよく、外形は四角形などであってもよい。
【符号の説明】
【００４７】
１  粘着式クリーナー
２  清掃具本体
２１  支持軸
２２  グリップ部
２３  挿入面
３  保護ケース
３１  開口部
３２  内周面
３３  リブ
３６  底蓋
３６１  凸部
４  ストッパー
４３  凹部
Ｒ  粘着テープロール
【図１】
2014076149.tif 000003
【図２】
2014076149.tif 000004
【図３】
2014076149.tif 000005
【図４】
2014076149.tif 000006
【図５】
2014076149.tif 000007
【図６】
2014076149.tif 000008
【図７】
2014076149.tif 000009
【図８】
2014076149.tif 000010